(57)【特許請求の範囲】
【請求項１】
遊技部材の取付け部には第１の係合手段としての係止爪と、遊技部材位置決め手段とを設け、前記遊技部材のベース部材の取付け部には前記係止爪と係脱しうる第２の係合手段としての前記係止爪が通過しうる通過孔及び前記通過孔に該係止爪を係止する係受部と、ベース部材位置決め手段とを設け、開口部を有する遊技盤の前面には前記遊技部材の位置決めをする位置決め手段を設け、前記遊技盤の背面には前記ベース部材の位置決めをする位置決め手段を設け、
前記係止爪の側面に突起部を設けると共に前記第２の係合手段に前記突起部を係合保持しうる固定部を設けて、前記係止爪が前記通過孔を通過した後に前記係受部に係合されると共に前記突起部が前記固定部に係合保持可能とし、
前記遊技部材の取付け部を前記遊技盤に設けた前記開口部に通し前記遊技部材と前記ベース部材それぞれの位置決め手段を遊技盤を挟み込んで前記遊技盤の位置決め手段に相互に関連させて位置決めするとともに前記遊技部材の前記第１の係合手段を前記ベース部材に形成された前記第２の係合手段に係脱可能に装着し、
前記遊技部材を、前記第１の係合手段と前記第２の係合手段とによる係合及び前記遊技部材位置決め手段による位置決めのみによって前記遊技盤の前面に装着可能に構成したことを特徴とするパチンコ遊技機における遊技部材取付け構造。
【請求項２】
前記固定部は前記通過孔の前記係受部とは反対側に形成され、
前記係止爪の先端の爪の反対側で前記固定部に係合保持しうる位置に前記突起部が１対形成されていることを特徴とする請求項１記載のパチンコ遊技機における遊技部材取付け構造。
【請求項３】
前記１対の突起部は前記固定部を挟み込むように間隔をおいて前記係止爪に一体形成されていることを特徴とする請求項２記載のパチンコ遊技機における遊技部材取付け構造。
【請求項４】
前記遊技部材位置決め手段および前記ベース部材位置決め手段として位置決め凸部を設け、前記遊技盤の前面および背面の位置決め手段として前記位置決め凸部を嵌合しうる位置決め凹部を設けた請求項１ないし３のいずれか１項に記載のパチンコ遊技機における遊技部材取付け構造。
【発明の詳細な説明】
【０００１】
【発明の属する技術分野】
この発明は遊技盤に役物等遊技部材を簡単に装着できるようにし、デザインを重視したパチンコ遊技機における遊技部材取付け構造に関する。
【０００２】
【従来の技術】
従来のパチンコ機、アレンジボール機においては遊技盤に外側と内側のレールを装着し、このレールの内側に入賞手段、液晶式表示手段、ランプ風車、装飾ランプ等の各種の遊技部材を配置している。この種の遊技部材を遊技盤に装着する場合の装着形態として、遊技盤の遊技部材を取付ける位置に装着開口部を設け、該装着開口部付近に位置決め孔を設けて遊技部材の取付け位置を固定し、この遊技部材をビスなどにより遊技盤に脱着可能に固定するようになっている。
また、遊技盤の前面の周辺に取付けられている装飾部材は、遊技盤の内側のレールより内面に取付けられる装飾ランプと外側レールの外周に取付けられている装飾ランプがあり、遊技盤の内面に取付けられる装飾ランプは遊技部材と同様に装着孔があり、その周辺の位置決め孔に固定し、ビスなどにより取付けられる場合が多くあり、外側レールの外周に取付けられている装飾ランプは遊技盤前面にある装着開口部のように貫通された開口部はなく位置決め孔より大きめの孔がありそこに装飾ランプの裏側にある突出部を圧縮することにより遊技盤にはめ込み取付けるようになっている。
更に、最近では遊技部材の裏側に圧入ピンが設けてあり、遊技盤の装着ピン孔に遊技部材をはめ込むだけで遊技部材の圧入ピンが拡張し遊技盤から外れなくなるようになっている。また、遊技部材の裏側にバネの力を利用したバネ部により遊技盤の開口部にはめ込むだけで取付けることができるものもある。
また、近年は合成樹脂製の遊技盤も見られるようになり、遊技釘は遊技盤の成形時に設けられるか、遊技盤に直に打ち込まれているのが現状である。
【０００３】
【発明が解決しようとする課題】
しかしながら、従来の遊技部材の取付け構造では、遊技部材を遊技盤の前面からビス止めする方法では外観からの見栄えが悪く、また組み付け作業上の効率が悪い欠点がある。
そして、遊技部材取付け圧入ピンを使用した遊技部材では小さな遊技部材を取付ける場合は問題ないが、大きな遊技部材（例えば、遊技盤の中央部に配置される図柄表示装置など）は圧入ピンが多数必要となり圧入ピンの間隔を揃えるのが困難であり、また圧入ピンの変形または折損により遊技部材を遊技盤に確実に取付けなくなる恐れがある。また、バネ力を利用した取付け方法ではバネ力が弱くなると遊技盤から外れてしまう恐れがある。
【０００４】
この発明は従来の課題を解決するようにしたもので、遊技部材を遊技盤に取りつける場合に、遊技盤に対し遊技部材と遊技部材のベース部材で挟んで固定できるようにして、ビス止めをなくすことにより外観の見栄えを良くし、製造作業でのビス止めの作業を無くして作業効率の向上を図ることができ、役物のベース側が多種の遊技機でも共通して使用できるパチンコ遊技機における遊技部材取付け構造を提供することを目的とする。
【０００５】
【課題を解決する手段】
この発明の請求項１のパチンコ遊技機における遊技部材取付け構造は、遊技部材（第２ユニット）４の取付け部３０には第１の係合手段３１としての係止爪と、遊技部材位置決め手段３２とを設け、前記遊技部材のベース部材（第１ユニット）５の取付け部には前記係止爪と係脱しうる第２の係合手段５４としての前記係止爪が通過しうる通過孔５６及び前記通過孔に該係止爪を係止する係受部５７と、ベース部材位置決め手段５５とを設け、開口部４０を有する遊技盤１の前面には前記遊技部材の位置決めをする位置決め手段４１を設け、前記遊技盤の背面には前記ベース部材の位置決めをする位置決め手段４２を設け、前記係止爪３１の側面に突起部３５を設けると共に前記第２の係合手段５４に前記突起部を係合保持しうる固定部５９を設けて、前記係止爪が前記通過孔を通過した後に前記係受部に係合されると共に前記突起部が前記固定部に係合保持可能とし、前記遊技部材の取付け部を前記遊技盤に設けた前記開口部４０に通し前記遊技部材４と前記ベース部材５それぞれの位置決め手段を遊技盤を挟み込んで前記遊技盤１の位置決め手段に相互に関連させて位置決めするとともに前記遊技部材４の第１の係合手段３１を前記ベース部材５に形成された前記第２の係合手段５４に係脱可能に装着し、前記遊技部材を、前記第１の係合手段と前記第２の係合手段とによる係合及び前記遊技部材位置決め手段による位置決めのみによって前記遊技盤の前面に装着可能に構成したことを特徴とするものである。
【０００６】
請求項２の発明は、請求項１において、前記固定部は前記通過孔５６の前記係受部５７とは反対側に形成され、前記係止爪の先端の爪の反対側で前記固定部に係合保持しうる位置に前記突起部が１対形成されていることを特徴とするものである。
【０００７】
請求項３の発明は、請求項２において、前記１対の突起部３５は前記固定部５９を挟み込むように間隔をおいて前記係止爪に一体形成されていることを特徴とするものである。
【０００８】
請求項４の発明は、請求項１ないし３のいずれか１項において、前記遊技部材位置決め手段３２および前記ベース部材位置決め手段５５として位置決め凸部（位置決め体）３４、５８を設け、前記遊技盤１の前面および背面の位置決め手段４１、４２として前記位置決め凸部を嵌合しうる位置決め凹部（位置決め孔）４３、４４を設けたものである。
【０００９】
この第１の発明の構成によれば、遊技部材（第２ユニット）４とベース部材（第１ユニット）５の位置決め手段３２、５５と遊技盤１の位置決め手段４１、４２を相互に関連させ、遊技部材４とベース部材５とで遊技盤１を挟み込んで、遊技部材４の第１の係合手段３１とベース部材５の第２の係合手段５４を係合するだけで、遊技部材を遊技盤に前面からビス止めをすることなく簡単かつ正確に取付けでき、外観からの見栄えが良くなり、製造作業の工程が減るので作業効率の向上を図ることができる。また、遊技盤に取付けられる遊技部材のベース部材は遊技盤に脱着可能に固定されていることによって遊技部材の取外しも容易にできる。また、ベース部材は多種の遊技機にも共通使用が可能になり、コスト低減することができる。
【００１０】
この第２の発明の構成によれば、遊技部材４の第１の係合手段３１に係止爪３３を設けて、ベース部材５の通過孔５６を通して第２の係合手段５４の係受部５７に引っ掛けることによって確実に遊技部材の取付け部の第１の係合手段３１を係止することができる。すなわち、遊技部材４をベース部材５に取付ける時、係止爪３３はベース部材５の通過孔５６の通過により加圧され、加圧することによって弾性を利用して内側に押圧されながら通過孔５６を通過し、通過された後加圧された係止爪３３は復元して係受部５７に係止され、遊技盤の前面から遊技部材を取り出そうとしても取れなくなる。また、ベース部材に取付けられた遊技部材を取外す時は、遊技盤の裏側から係止爪を例えば指の圧力により内側に押圧して係受部より外し、通過孔を通過させることによって、遊技部材を簡単に取外すことができる。
【００１１】
この第３の発明の構成によれば、遊技部材４の係止爪３３をベース部材５の係受部５７に係止時、遊技部材４の係止爪３３の側面の突起部３５がベース部材５の固定部５９に係合保持されて位置決め固定されるので、遊技部材の取付け位置が正確となり、微妙なズレをなくすことができる。
【００１２】
この第４の発明の構成によれば、前記遊技部材位置決め凸部３４およびベース部材位置決め凸部５８を遊技盤１の前面および背面の位置決め凹部４３、４４に嵌合して遊技盤に対して遊技部材とベース部材を正確に位置決めすることができる。
【００１３】
【発明の実施の形態】
以下に、この発明の実施形態を図面に基づいて説明する。図１はこの発明の遊技盤の正面図、図２は表示画面を含んだ遊技部材の正面図、図３は遊技部材、遊技盤およびベース部材を分離して示す斜視図、図４は遊技部材とベース部材を示す斜視図、図５は遊技部材をベース部材に合体した斜視図、図６は遊技部材のベース部材を変更した実施例の遊技部材、遊技盤およびベース部材を分離して示す斜視図、図７は同遊技部材とベース部材を示す斜視図、図８は同遊技部材をベース部材に合体した斜視図、図９は図２の遊技部材のＡ−Ａ線断面図と液晶ユニットの側面図、図１０は液晶ユニットを取付けたときの側面図、図１１は遊技部材のＡ−Ａ線断面図、図１２は図２の遊技部材のＢ−Ｂ線断面図、図１３は遊技部材、遊技盤およびベース部材を分離したＢ−Ｂ線における断面図、図１４は遊技部材とベース部材の取付け構造の係合手段の拡大断面図である。
【００１４】
図１において、遊技盤１を説明する。遊技盤１には円弧状の打球誘導レール２として、外レール２ａが設けられ、かつその外レールの内側には球誘導通路を存して内側レール２ｂが設けられている。この打球誘導レール２に囲まれる遊技領域３には図柄表示装置、各種入賞口等遊技部材（第２ユニット）４が備えられている。５はこの遊技部材４のベースとなるベース部材（第１ユニット）である。前記遊技部材（第２ユニット）４としては、図柄表示装置１０、その両側のランプ風車１１、サイド飾り１２、その内側に備えた左と右袖入賞口１３、中央下部の第１種始動口１４、普通電動役物１５、その下方に大入賞口１６、その両側の落とし入賞口１７、左右のゲート等を含むものである。前記ベース部材（第１ユニット）５として、合成樹脂製ベース板５０、５０’等を含むものである。なお、図において、１８は大入賞口１６の特定領域、１９は誘導レール２の外側の賞球エラー表示、飾り表示等である。
【００１５】
この発明は遊技盤１の前面に取付ける遊技部材（第２ユニット）４をビスを用いないで取着しうるようにしたものである。図２乃至図１４において、遊技部材４の１例として図柄表示装置１０の場合の取付け構造を説明する。遊技部材４の取付け構造は、遊技部材４と遊技部材の合成樹脂製ベース部材５とにより遊技盤１を挟み込み、遊技部材４とベース部材５の係合手段を相互に係脱させ、遊技部材４とベース部材５の位置決め手段を遊技盤の表裏の位置決め手段と相互に嵌合させて取付けできるようにしたものである。
【００１６】
図１および図２において、遊技部材（第２ユニット）４の図柄表示装置１０は中央に開口２０ａを形成したほぼ四角形状の合成樹脂製器体２０の前面上部に普通図柄装置２１を備え、左右の球通過口入口２２と、下部の内側に左右の球通過口出口２３が形成され、中央下部には左右の球通過口出口２３から出された球を中央に誘導して下方へ落下するステージ２４が形成され、器体２０の奥に表示窓孔２５が設けられ、かつ器体２０の背面に四角形の取付け枠３０が形成されている。この器体２０の奥の表示窓孔２５には後述の液晶ユニットの特別図柄表示部６０が備えられる。なお、２６は普通図柄記憶表示ＬＥＤ、２７は特別図柄記憶表示ＬＥＤ、２８は飾りＬＥＤであり、２９は特別図柄で、左特別図柄、中特別図柄、右特別図柄が表示される。
【００１７】
図１２および図１３において、遊技部材４の図柄表示装置１０の取付け構造は、器体２０の背面の取付け枠３０の両側に第１の係合手段３１が設けられ、かつその器体２０の両側背面に遊技部材位置決め手段３２が設けられている。取付け枠３０に設ける第１の係合手段３１として、取付け枠３０の背面に第２の係合手段５４の係受部５７に係止しうる鉤状の爪３３ａが先端外側に形成された係止爪３３が一体形成され、かつ遊技部材位置決め手段３２として、器体２０の背面上下に遊技部材位置決め凸部３４が突設されている。
【００１８】
遊技盤１の材質は合成樹脂製、木製等で、遊技部材４の形状に対応する開口部が複数形成されている。図３、図６では遊技部材４の１例である図柄表示装置１０用の取付け開口部４０が形成された場合で説明する。この開口部４０は遊技部材４の図柄表示装置１０の取付け枠３０、第１の係合手段３１を嵌合しうる大きさに形成されている。遊技盤１の前面には該開口部４０の上下位置に図柄表示装置１０を取付けるための位置決め手段４１として複数個の位置決め凹部（位置決め孔）４３が設けられ、かつその背面には開口部４０の両側にベース部材５を取付けるための位置決め手段４２として位置決め凹部（位置決め孔）４４が設けられている。
【００１９】
図３乃至図５に示すベース部材（第１ユニット）５は、コ字型に屈曲形成して中央に凹状取付け部５１が形成されかつ両側に取付け片５２が形成された合成樹脂製ベース板５０で、その凹状取付け部５１の中央に特別図柄表示窓５３とその両側に第２の係合手段（被係合部）５４が形成され、かつ両側の取付け片５２にベース部材位置決め手段５５が形成され、かつまた、ベース板５０の背面には液晶ユニット取付け部６１が形成されている。前記凹状取付け部５１は前記遊技部材４の取付け枠３０が挿入しうる巾とする。
【００２０】
図１２および図１３において、前記第２の係合手段（被係合部）５４として、遊技部材４の係止爪３３が通過する通過孔５６と係止爪３３を引っ掛け固定する係受部５７が設けられている。該通過孔５６は係止爪３３の先端の爪を挿入しうるよう少し広く形成される。而して、係止爪３３は弾性を利用して通過孔５６の通過により加圧され、通過後復元力により爪を係受部５７に掛け止めできる。
【００２１】
前記ベース部材５の両側の取付け片５２には、ベース部材位置決め手段５５として前記遊技盤１の背面のベース部材位置決め凹部４４に嵌合しうるベース部材位置決め凸部（位置決め体）５８が前面上下に所定の間隔をおいて突設されている。このベース部材位置決め凸部５８が前記遊技盤１の位置決め凹部４４に嵌合されて正確に位置決めされる。なお、６４は取付け片５２に設けたビス孔である。
【００２２】
また、このベース板５０の背面に四角形の液晶ユニット取付け部６１が形成され、該液晶ユニット取付け部６１に液晶ユニットカバー６２が装着されている。この液晶ユニット取付け部６１と液晶ユニットカバー６２内に特別図柄表示部６０が備えられた液晶ユニットが備えられている。ベース板５０の背面の液晶ユニット取付け部６１に液晶ユニットカバー６２等が係脱手段６３で脱着可能に設けられている。なお、液晶ユニット取付け部と液晶ユニットカバーとの取付けは、上記構造に限られるものではなく、ネジ等で脱着可能に取付けることもできる。
【００２３】
図６乃至図８においてベース部材の別の実施例を示す。このベース部材５’では、合成樹脂製ベース板５０’の前面を額縁状として中央に凹状取付け部５１’を形成し、その凹状取付け部５１’に前記と同様に中央に特別図柄表示窓５３とその両側に第２の係合手段５４が形成され、かつ両側の取付け片５２’にベース部材位置決め手段５５のベース部材位置決め凸部５８が形成され、かつまた、ベース板５０の背面には液晶ユニット取付け部６１に液晶ユニットカバー６２が係脱手段６３で脱着可能に備えられる。前記凹状取付け部５１’は前記遊技部材４の取付け枠３０が挿入しうる大きさとする。実施形態ではベース部材として、コ型のベース板、額縁状ベース板の場合を示したが、この形状に限られるものではない。
【００２４】
図１４に係合手段３１の係止爪３３の別の実施形態を示す、この係止爪３３は先端の爪３３ａを鉤状として弾性を持たせ、通過孔５６に挿入時にその爪が内側に加圧されて通過させ、通過後復元力で爪が元に戻されて係受部５７に係合しうるようにする。また、この実施形態では通過孔５６の前記係受部５７とは反対側に第２係合手段５４として固定部５９が形成され、かつ係止爪３３にはその先端の爪の反対側の側面に前記固定部５９の上下に係合保持しうる位置に１対の突起部３５が一体形成されている。この場合、前記通過孔５６は、係止爪３３の爪３３ａと突起部３５を挿入しうるように爪と突起部の厚みより少し広く形成される。而して、係止爪３３の鉤状の爪３３ａが弾性を利用して通過孔５６の通過により加圧されて狭められて通過孔５６に押し込まれ、通過後鉤状の爪３３ａが復元力で戻されて係受部５７に掛け止めでき、かつ係止爪３３の弾性を利用して側面の突起部３５も固定部５９の上下に係合保持させることができズレを生じないようにできる。なお、この突起部３５は固定部５９を挟み込むように係止爪３３の上下に間隔をおいて一体形成されているが、これに限られるものではなく、例えば上部の突起部のみでも良い。
【００２５】
図９乃至図１４において、この発明の遊技部材取付け構造により遊技部材４とベース部材５とで遊技盤１を挟み込んで係合手段、位置決め手段により取付ける方法を説明する。
図９乃至図１３における実施形態では、遊技盤１の前面側に遊技部材４を当て背面側にベース部材５を当て、遊技盤１の開口部４０を通じて遊技部材４の取付け枠３０、係止爪３３を挿通し、該取付け枠３０とベース板５０の凹状取付け部５１に挿入し、遊技部材４の両側の係止爪３３を凹状取付け部５１に設けた通過孔５６に挿入時に通過孔５６により係止爪が加圧され内側へ押圧されて通過し、通過した後加圧された係止爪３３は弾性で復元し係止爪３３が係受部５７に引っ掛け固定される。
また、図１４に示す実施形態の係止爪３３の側面の突起部３５を設けた場合には、係止爪３３がベース板５０の係受部５７に係合されるとともに該突起部３５が固定部５９の上下に係合保持され、遊技部材を正確な位置に保持をでき、而して少しのズレも生ずることがない。前面からビス止めをすることなく取付けでき、外観からの見栄えが良くなり、組み付け作業の行程が減るので組み付け作業の効率が良くなる。ベース部材に取付けられる遊技部材を取外す時は、遊技盤の裏側から係止爪を指の圧力により押圧することによって、遊技部材を簡単に取外すことができる。而して、遊技盤１に取付けられる遊技部材４のベース部材５は遊技盤１に脱着可能に固定されていることによって遊技部材の取外しが容易になる。また、ベース部材は多種の遊技機にも共通使用が可能になり、コスト低減することができる。
【００２６】
以上の実施形態を示したが、この発明はこの形態に限定されるものではなく、この発明の要旨を逸脱しない範囲で、様々な形態を実施しうるものである。
【００２７】
【発明の効果】
請求項１のパチンコ遊技機における遊技部材取付け構造の発明によれば、遊技部材とベース部材の位置決め手段と遊技盤の位置決め手段を相互に関連させ、遊技部材とベース部材とで遊技盤を挟み込んで、遊技部材の第１の係合手段とベース部材の第２の係合手段を係合するだけで、遊技部材を遊技盤に前面からビス止めをすることなく簡単かつ正確に取付けでき、外観からの見栄えが良くなり、製造作業の工程が減るので作業効率の向上を図ることができる。また、遊技部材のベース部材は遊技盤に脱着可能に固定されていることによって遊技部材の取外しも容易にできる。また、ベース部材は多種の遊技機にも共通使用が可能になり、コスト低減することができる。
【００２８】
請求項２の発明によれば、遊技部材の第１の係合手段に係止爪をベース部材の通過孔を通して第２の係合手段の固定部に引っ掛けることによって確実に遊技部材の取付け部を固定することができる。また、ベース部材に取付けられた遊技部材を取外す時は、遊技盤の裏側から係止爪を例えば指の圧力により圧縮することによって、遊技部材を簡単に取外すことができる。
【００２９】
請求項３の発明によれば、遊技部材の係止爪をベース部材の係受部に係止時、遊技部材の係止爪の側面の突起部がベース部材の固定部に係合保持されて位置決め固定されるので、遊技部材の取付け位置が正確となり、微妙なズレをなくすことができる。
【００３０】
請求項４の発明によれば、前記遊技部材位置決め凸部およびベース部材位置決め凸部を遊技盤の前面および背面の位置決め凹部に嵌合して遊技盤に対して遊技部材とベース部材を正確に位置決めすることができる。
【図面の簡単な説明】
【図１】この発明の遊技盤の正面図である。
【図２】表示画面を含んだ遊技部材の正面図である。
【図３】遊技部材、遊技盤およびベース部材を分離して示す斜視図である。
【図４】遊技部材とベース部材を示す斜視図である。
【図５】遊技部材をベース部材に合体した斜視図である。
【図６】遊技部材のベース部材を変更した実施例の遊技部材、遊技盤およびベース部材を分離して示す斜視図である。
【図７】同遊技部材とベース部材を示す斜視図である。
【図８】同遊技部材をベース部材に合体した斜視図である。
【図９】図２の遊技部材のＡ−Ａ線断面図と液晶ユニットの側面図である。
【図１０】液晶ユニットを取付けたときの側面図である。
【図１１】遊技部材のＡ−Ａ線断面図である。
【図１２】図２の遊技部材のＢ−Ｂ線断面図である。
【図１３】遊技部材、遊技盤およびベース部材を分離したＢ−Ｂ線における断面図である。
【図１４】遊技部材とベース部材の取付け構造の係合手段の拡大断面図である。
【符号の説明】
１  遊技盤
４  遊技部材（第２ユニット）
５  ベース部材（第１ユニット）
１０  図柄表示装置
２０  器体
３０  取付け枠
３１  第１の係合手段
３２  遊技部材位置決め手段
３３  係止爪
３４  遊技部材位置決め凸部
３５  突起部
４０  開口部
４１  位置決め手段
４２  位置決め手段
４３  位置決め凹部
４４  位置決め凹部
５０  ベース板
５４  第２の係合手段
５６  通過孔
５７  係受部
５８  ベース部材位置決め凸部
５９  固定部
【図１】
0003550329.tif 000002
【図２】
0003550329.tif 000003
【図３】
0003550329.tif 000004
【図４】
0003550329.tif 000005
【図５】
0003550329.tif 000006
【図６】
0003550329.tif 000007
【図７】
0003550329.tif 000008
【図８】
0003550329.tif 000009
【図９】
0003550329.tif 000010
【図１０】
0003550329.tif 000011
【図１１】
0003550329.tif 000012
【図１２】
0003550329.tif 000013
【図１３】
0003550329.tif 000014
【図１４】
0003550329.tif 000015